(57)【要約】【課題】  無線通信信号を上側帯域信号と下側帯域信号に分離し、不要波及びイメージを除去すると同時に、安価な不要波除去受信機を提供する。【解決手段】ベースバンドに変換された無線通信信号を上側帯域信号と下側帯域信号に分離し、両側帯域信号のS/Nに対する片側帯域信号のS/Nとの比較に基づいて、上側帯域信号、下側帯域信号、両側帯域信号のいずれかを使用する帯域として選択することによって不要波を除去することを特徴とする。【選択図】  図１
2008271311.tif 000002
【特許請求の範囲】
【請求項１】
無線通信信号をベースバンド直交信号に変換し、該直交信号のそれぞれの成分信号を上側帯域信号と下側帯域信号に分離するイメージ・リジェクト混合部と、
前記ベースバンド直交信号の内の、前記上側帯域信号、前記下側帯域信号、両側帯域信号のいずれかを使用帯域信号として選択する制御信号を生成する選択制御部と、
前記制御信号によって、前記ベースバンド直交信号の内の、前記使用帯域信号に切り替える出力制御部とを備え、
前記制御信号は、（前記上側帯域信号のS/N）>（前記両側帯域信号のS/N）の条件と、(前記下側帯域信号のS/N）>（前記両側帯域信号）のS/Nの条件との二つの条件に基づいて、生成されることを特徴とする不要波除去受信機。
【請求項２】
無線通信信号をベースバンド直交信号に変換し、該直交信号のそれぞれの成分信号を上側帯域信号と下側帯域信号に分離するイメージ・リジェクト混合部と、
前記ベースバンド直交信号の内の、前記上側帯域信号、前記下側帯域信号、両側帯域信号のいずれかを使用帯域信号として選択する制御信号を生成する選択制御部と、
前記制御信号によって、前記ベースバンド直交信号の内の、前記使用帯域信号に切り替える出力制御部とを備え、
前記制御信号は、（前記上側帯域信号の電力）>比較係数×（前記下側波帯域信号の電力）の条件と、（前記下側帯域信号の電力）>前記比較係数×（前記上側波帯域信号の電力）の条件との二つの条件に基づいて、生成されることを特徴とする不要波除去受信機。
【請求項３】
請求項１から請求項２の何れかに記載の不要波除去受信機において、
前記制御信号は、前記ベースバンド直交信号の少なくともいずれかの成分の前記上側帯域信号と前記下側帯域信号に基づいて、生成されることを特徴とする不要波除去受信機。
【請求項４】
無線通信信号をベースバンド直交信号に変換し、該直交信号のそれぞれの成分信号を上側帯域信号と下側帯域信号に分離するイメージ・リジェクト混合部と、
前記ベースバンド直交信号の前記上側帯域信号と前記下側帯域信号とを、個別に、同じ中心周波数を持つＩＦ帯域信号に変換し、ＩＦ帯域上側帯域信号とＩＦ帯域下側帯域信号を生成するアップ・コンバージョン部と、
前記ＩＦ帯域信号の内の、前記ＩＦ帯域上側帯域信号、前記ＩＦ帯域下側帯域信号、ＩＦ帯域両側帯域信号のいずれかを使用帯域信号として選択する制御信号を生成する選択制御部と、
前記制御信号によって、前記ＩＦ帯域信号の内の、前記使用帯域信号に切り替える出力制御部とを備え、
前記制御信号は、（前記ＩＦ帯域上側帯域信号のS/N）>（前記ＩＦ帯域両側帯域信号のS/N）の条件と、(前記ＩＦ帯域下側帯域信号のS/N）>（前記ＩＦ帯域両側帯域信号）のS/Nの条件との二つの条件に基づいて、生成されることを特徴とする不要波除去受信機。
【請求項５】
無線通信信号をベースバンド直交信号に変換し、該直交信号のそれぞれの成分信号を上側帯域信号と下側帯域信号に分離するイメージ・リジェクト混合部と、
前記ベースバンド直交信号の前記上側帯域信号と前記下側帯域信号とを、個別に、同じ中心周波数を持つＩＦ帯域信号に変換し、ＩＦ帯域上側帯域信号とＩＦ帯域下側帯域信号を生成するアップ・コンバージョン部と、
前記ＩＦ帯域信号の内の、前記ＩＦ帯域上側帯域信号、前記ＩＦ帯域下側帯域信号、ＩＦ帯域両側帯域信号のいずれかを使用帯域信号として選択する制御信号を生成する選択制御部と、
前記制御信号によって、前記ＩＦ帯域信号の内の、前記使用帯域信号に切り替える出力制御部とを備え、
前記制御信号は、（前記ＩＦ帯域上側帯域信号の電力）>比較係数×（前記ＩＦ帯域下側波帯域信号の電力）の条件と、（前記ＩＦ帯域下側帯域信号の電力）>前記比較係数×（前記ＩＦ帯域上側波帯域信号の電力）の条件との二つの条件に基づいて、生成されることを特徴とする不要波除去受信機。
【請求項６】
請求項４と請求項５に記載の不要波除去受信機において、
前記制御信号は、ＩＦ帯域上側帯域信号と前記ＩＦ帯域下側帯域信号に基づいて、生成されることを特徴とする不要波除去受信機。
【請求項７】
請求項２と請求項５に記載の不要波除去受信機において、
前記比較係数は、１より大きく、且つ１０以下の範囲内で予め決められた値とすることを特徴とする不要波除去受信機。
【請求項８】
請求項１から請求項７の何れかに記載の不要波除去受信機において、
前記無線通信信号をデジタル量に変換し、デジタル量変換以降の係る処理をデジタル回路処理またはソフトウェア処理することを特徴とする不要波除去受信機。
【発明の詳細な説明】
【技術分野】
【０００１】
本発明はスペクトラム拡散信号を含む無線通信信号の不要波を除去する回路処理を有する受信機に関する。
【背景技術】
【０００２】
スペクトラム拡散信号を含む無線通信信号を受信する受信機において、高周波帯域（ＲＦ）信号は少なくとも１個の混合器を用いて中間周波数(IF)帯域信号に変換された後、再度、ベースバンド信号に変換するヘテロダイン方式が広く用いられている。また、ＲＦ信号を、ダイレクト・コンバージョン（Zero-IF)方式によって、直接、ベースバンド信号に変換する方法も用いられている。
【特許文献１】特開平０３−０９２０２９号公報
【発明の開示】
【発明が解決しようとする課題】
【０００３】
しかしながら、ヘテロダイン方式場合、ＲＦ信号に含まれる不要波に加えて、混合処理で生じたイメージ不要波も除去する必要がある。この場合、HartleyやWeaver型のイメージ・リジェクト混合器による技法が公知であるが、ＲＦ信号帯域信号内に混入している不要波は除去できない。一方、Zero-IF方式は上述のイメージ不要波問題は解消できるがHartleyやWeaver型のイメージ・リジェクト混合器と同様に、ＲＦ信号帯域信号内に混入している不要波は除去できない。
【０００４】
ＲＦ信号帯域信号内に混入している不要波は、可変ノッチフィルタ方式や、特許文献１に記載の2つ帯域通過フィルタを用いて上側帯域信号（USB）と下側帯域信号(LSB)に分離し、USBとLSBの信号電力を比較することによって除去する方法が公知である。
【０００５】
しかしながら、可変ノッチフィルタ方式は、周波数帯域内の不要波の混入している帯域を特定するために、回路規模が複雑となり、さらに高いQ値のノッチフィルタ要求されるために、コストアップ要因となる欠点を有する。
【０００６】
また、帯域通過フィルタを用いてＲＦ信号をUSB成分とLSB成分に分離する特許文献１の方法は、USBとLSBの中間帯域内にある不要波に対しては高い減衰量は得られないのみならず、２個の帯域通過フィルタの中間帯域に最も大きい信号電力密度を持つ信号の電力を損失することになる。さらに、ＩＦ信号からベースバンド変換のための混合器で生じたイメージ不要波を抑圧する手段が、別途、必要になり、回路が複雑になる。したがって、特許文献１の技法は、例えば、安価且つ小型化を狙ったGALILEO-GPSハイブリッド受信機のRFフロントエンド部における不要波対策技法としては適さない。
【０００７】
本発明は上述の課題に鑑みてなされたものであり、無線通信信号帯域内に混入している不要波及びイメージ不要波を共に除去すると同時に、安価な不要波除去受信機を提供することにある。
【課題を解決するための手段】
【０００８】
上述の課題を解決するために、本発明は、無線通信信号をベースバンド直交（Ｉ成分及びＱ成分、以下同様）信号に変換し、該直交信号のそれぞれの成分信号を上側帯域信号と下側帯域信号に分離するイメージ・リジェクト混合部と、前記ベースバンド直交信号の内の、前記上側帯域信号、前記下側帯域信号、両側帯域信号のいずれかを使用帯域信号として選択する制御信号を生成する選択制御部と、前記制御信号によって、前記ベースバンド直交信号の内の、前記使用帯域信号に切り替える出力制御部とを備え、前記制御信号は、（前記上側帯域信号のS/N）>（前記両側帯域信号のS/N）の条件と、(前記下側帯域信号のS/N）>（前記両側帯域信号）のS/Nの条件との二つの条件に基づいて、生成されることを特徴とする。
【０００９】
さらに、本発明において、前記制御信号は、（前記上側帯域信号のS/N）>（前記両側帯域信号のS/N）の条件と、(前記下側帯域信号のS/N）>（前記両側帯域信号）のS/Nの条件との二つの条件の代わりに、（前記上側帯域信号の電力）>比較係数×（前記下側波帯域信号の電力）の条件と、（前記下側帯域信号の電力）>前記比較係数×（前記上側波帯域信号の電力）の条件との二つの条件に基づいて、生成するようにしてもよい。比較係数を１より大きくすることにより、従来技法で提示されているような唯単にLSBとＵＳＢからの二者択一でなく、LSBとＵＳＢ及びDSBからの三者択一ができから、二者択一の場合において、常に生じる使用帯域信号のS/Nの３dB損失の生起確率が低減できる。
【００１０】
さらに、本発明において、イメージ・リジェクト混合部出力を用いて生成する前記制御信号は、前記ベースバンド直交信号のＩ成分信号またはQ成分信号の、または両方の成分信号の上側帯域信号と下側帯域信号に基づいて、生成されることを特徴とする。
【００１１】
さらに、本発明において、前記イメージ・リジェクト混合部から得られるＩ成分信号、Q成分信号のそれぞれの上側帯域信号と前記下側帯域信号とを、個別に、同じ中心周波数を持つＩＦ帯域信号に変換し、Ｉ成分信号とQ成分信号を統合した、ＩＦ帯域上側帯域信号とＩＦ帯域下側帯域信号を生成するアップ・コンバージョン部と、該イメージ・リジェクト混合部から得られるＩＦ帯域信号の内の、前記ＩＦ帯域上側帯域信号、前記ＩＦ帯域下側帯域信号、ＩＦ帯域両側帯域信号のいずれかを使用帯域信号として選択する制御信号を生成する選択制御部と、前記制御信号によって、使用する帯域信号に切り替える出力制御部とを備え、前記制御信号は、（前記ＩＦ帯域上側帯域信号のS/N）>（前記ＩＦ帯域両側帯域信号のS/N）の条件と、(前記ＩＦ帯域下側帯域信号のS/N）>（前記ＩＦ帯域両側帯域信号）のS/Nの条件との二つの条件に基づいて、生成される。
【００１２】
さらに、本発明において、前記制御信号は、（前記ＩＦ帯域上側帯域信号のS/N）>（前記ＩＦ帯域両側帯域信号のS/N）の条件と、(前記ＩＦ帯域下側帯域信号のS/N）>（前記ＩＦ帯域両側帯域信号）のS/Nの条件との二つの条件の代わりに、（前記ＩＦ帯域上側帯域信号の電力）>比較係数×（前記ＩＦ帯域下側波帯域信号の電力）の条件と、（前記ＩＦ帯域下側帯域信号の電力）>前記比較係数×（前記ＩＦ帯域上側波帯域信号の電力）の条件との二つの条件に基づいて、生成するようにしてもよい。
【００１３】
さらに、本発明において、アップ・コンバージョン部出力を用いて生成する前記制御信号は、ＩＦ帯域上側帯域信号と前記ＩＦ帯域下側帯域信号に基づいて、生成されることを特徴とする。
【００１４】
さらに、本発明において、（前記ＩＦ帯域上側帯域信号の電力）>比較係数×（前記ＩＦ帯域下側波帯域信号の電力）の条件と、（前記ＩＦ帯域下側帯域信号の電力）>前記比較係数×（前記ＩＦ帯域上側波帯域信号の電力）の条件との二つの条件に基づいて、前記制御信号の生成する場合、前記比較係数は、１より大きく、且つ１０以下の範囲内で予め決められた値とすることを特徴とする。
【００１５】
さらに、本発明において、
前記無線通信信号をデジタル量に変換し、デジタル量変換以降の係る処理をデジタル回路処理またはソフトウェア処理するようにしてもよい。
【発明の効果】
【００１６】
本発明によれば、無線通信信号を、直接、イメージ・リジェクト混合器を用いてベースバンドに変換するために、イメージ帯域内の不要波問題は解消できる。また、両帯域信号（DSB)の近傍における不要波の減衰量は、通常３０dB以上のイメージ除去比を得ることができるため、従来のような帯域通過フィルタによるUSB、LSB分離方式特有の欠点であるUSBとLSBの中間帯域内に混入している不要波の抑圧特性の劣化問題が解消できる。
【００１７】
さらに、本発明技法は、従来のようなLSBとUSBのいずれかでなく、DSBも使用する帯域信号の選択対象とするために、USBとLSBのいずれかを選択することで生じるS/Nの３dB損失の生起確率が低減できる。
【発明を実施するための最良の形態】
【００１８】
（実施の形態１）
図１に本発明の実施形態１の構成を示す。この実施形態は、イメージ・リジェクト混合部１０、使用帯域制御部２０、出力制御部３０の3つのブロックより構成される。この構成図は、出力制御部３０のA/D変換処理を除き、アナログ処理回路構成を示している。
【００１９】
図１において、無線通信信号はイメージ・リジェクト混合部１０の混合器３aに入力され、無線通信信号の中心周波数と概略等しいローカル周波数を生成するRFローカル周波数発生器1の出力と混合され、Ｉ成分信号を生成する。一方、無線通信信号は混合器３bにも入力され、RFローカル周波数発生器1の出力を移相器２で９０度位相シフトした信号と混合し、Ｑ成分を生成する。
【００２０】
混合器３aの出力は移相器４aで９０度の位相シフトした後、混合器３bの出力と、加算器５aで減算することでベースバンドのＱ成分信号のUＳＢであるQUSBを生成し、減算器５bで加算することでベースバンドのＱ成分信号のLSBであるＱLSBを生成する。
【００２１】
また、混合器３bの出力は移相器４bで９０度の位相シフトした後、混合器３aの出力と、加算器６aで加算することでベースバンドのI成分信号のＵＳＢであるＩＵSBを生成し、減算器６bで減算することでベースバンドのＩ成分信号のＬＳＢであるＩＬSBを生成する。
【００２２】
上述のように、イメージ・リジェクト混合器をもちて、無線通信信号を直接、ベースバンドに変換することによって、ベースバンド信号のUSBとLSBがＤＣを中心としてイメージの関係を有し、しかも、USBとLSBに分離された出力として得られる。
【００２３】
USBとLSBがＤＣを中心としてイメージの関係にすることが本発明に係る技法の特徴であり、重要な意味を持つ。このことを図２の(a)から(c)を用いて説明する。図２の(a)はべースバンド信号のDSBの電力スペクトラムである。この図において、SLSB、ＮLSB及びＪLSBはそれぞれ、ＬＳＢの要望波信号電力、熱雑音電力、不要波電力であり、SUSB、ＮUSB及びＪUSBはUＳＢの要望波信号電力、熱雑音電力、不要波電力である。    
【００２４】
図２の(b)、図２の(c)は、それぞれ、本発明に係る技法によって分離したLSB、USBの電力スペクトラムを示している。図示しているように、USBとLSBは理想と異なり、完全に分離できないけれども、ＤＣを中心としてイメージの関係にすることによって、他方の帯域からの干渉は、通常、３０dB以上が期待できるイメージ・リジェクト比（ＩＭＭＲ）に抑圧できることを示している。従来のような帯域通過フィルタによる分離方法ではこのような値の干渉抑圧比を得るのは困難である。
【００２５】
また、イメージ・リジェクト混合部１０は無線通信信号を直接、ベースバンド、即ちDCに変換するから、ＩＦ信号に変換するときに生じるイメージ不要波抑圧問題は解消できる。
【００２６】
イメージ・リジェクト混合部１０で生成されたベースバンドＱUSB信号は、検波器２１aで検波し、低域通過フィルタ２２aでフィルタ処理し、選択制御部２３に入力される。一方、ベースバンドQLSB信号は、検波器２１bで検波し、低域通過フィルタ２２bでフィルタ処理し、選択制御部２３に入力される。ここで、ＱUSB信号及びQLSB信号の代わりに、IUSB信号及びILSB信号を検波器２１a、２１bの入力とすることも可能である。
【００２７】
また、選択制御部２３への入力信号をベースバンドＱUSB及びQLSBまたは、ＩUSB及びＩLSB信号のいずれか若しくは、併用して、本発明に係るベースバンド信号の使用する帯域信号を選択・制御することは可能である。
【００２８】
ここで、ＱUSB及びQLSBまたは、ＩUSB及びＩLSB信号を併用する方法としては、使用帯域制御部２０の入力から出力のいずれかの場所で結合してもよい。例えば、ＱUSB＋IUSBを検波器２１aの入力とし、ＱLSB＋ILSBを検波器２１bの入力とすることもできる。また、ＱUSB、IUSB、QLSB、ILSBを別々に検波し、検波出力段でUSB、LSB同志を結合した信号を低域通過フィルタ２２a、２２bの入力とすることもできる。また、低域通過フィルタ２２a、２２b出力段でUSB、LSB同志を結合し、選択制御部２３の入力とすることもできる。
【００２９】
イメージ・リジェクト混合部１０のベースバンド信号ＩＵSB、ＩＬSBは、それぞれ、出力制御部３０のスイッチ
３１a、スイッチ３１bに接続され、ベースバンド信号QＵSB、QＬSBは、それぞれ、スイッチ３２a、スイッチ３２bに接続される。
【００３０】
これ等のスイッチは選択制御部２３の出力によってLSBまたはUSBのいずれか、またはDSBを使用するかを選択するように制御される。即ち、ＩＵSB信号、ＩＬSB信号はスイッチ３１a、スイッチ３１bのON/OFFすることによって、ＩＵSB、ＩＬSB、ＩDSBのいずれかが選択される。Ｉ成分信号は、低域通過フィルタ３３a 、A/D変換機３４aを経て、Ibase信号を生成する。同様に、QＵSB信号、QＬSB信号はスイッチ３２a、スイッチ３２bでQＵSB、QＬSB、QDSBのいずれかが選択され、低域通過フィルタ３３b 、A/D変換機３４bを経て、Qbase信号を生成する。
【００３１】
尚、図１ではスイッチ３１aとスイッチ３１bの出力端及びスイッチ３２aとスイッチ３２bの出力端は接続されるように描かれているが、DSBのＩDSBまたはQDSBを使用する場合は、USBとＬＳＢが加算統合されるものとする。
【００３２】
次に、帯域信号内に混入している不要波を除去するための技法を説明する。図２の(a)において、要望信号電力SUSB、SLSBは等しいとしてSで表し、またNUSB、NLSBも等しいとしてNで表すとすると、各帯域信号のS/Nは、それぞれ、[数１]、[数２]、[数３]で表すことができる。尚、[数１]、[数２]、[数３]はＩ成分信号、Q成分信号でも成立する。
【数１】
2008271311.tif 000003
【数２】
2008271311.tif 000004
【数３】
2008271311.tif 000005
【００３３】
選択制御部２３は(S/N)LSB>(S/N)DSBの条件と (S/N)USB>(S/N)DSBの条件に基づいて、ベースバンド信号の使用する帯域信号を選択制御する信号を生成し、出力する。 
【００３４】
(S/N)LSB>(S/N)DSBの条件は、[数１]と[数３]から、NUSB+JUSB>3(NLSB+JLSB)の条件と等価となり、(S/N)USB>(S/N)DSB条件は、 [数２]と[数３]から、NLSB+JLSB>3(NUSB+JUSB)の条件と等価である。また、通常、SUSB、SLSBは、それぞれ、NUSB+JUSB、NLSB+JLSBに比べて無視できるから、USB電力PUSB、≒NUSB+JUSB、LSB電力PLSB≒NLSB+JLSBとすると、(S/N)LSB>(S/N)DSBの条件はPUSB >3×PLSB条件で、また、 (S/N)USB>(S/N)DSBの条件はPLSB >3×PUSBの条件で近似できる。
【００３５】
従って、選択制御部２３は(S/N)LSB>(S/N)DSBの条件またはPUSB >3×PLSBの条件を満たす場合に、LSB(ＱLSBとILSB)を選択し、また、(S/N)USB>(S/N)DSBの条件またはPLSB >3×PUSBの条件を満たす場合に、USB(ＱUSBとIUSB)を選択し、上記のいずれの条件を満たさない場合はDSBを選択するような制御信号を生成し、出力する。 
【００３６】
もし、要望波電力が無視できないときは、(S/N)LSB>(S/N)DSBの条件や (S/N)USB>(S/N)DSBの条件が、PUSB >3×PLSBの条件やPLSB >3×PUSBの条件に近似できるとは言いがたくなる。しかし、この場合において、PUSB >3×PLSBの条件やPLSB >3×PUSBの条件を適用することができる。この場合、DSB、USBまたはLSBに切り替えるポイントが少しシフトするのみであり、実用に支障ない。
【００３７】
もし、この場合において、実用で許容できない程度に切り替えポイントが変化する場合は、PLSB>3 PUSBの条件またはPUSB>3 PLSBの条件の比較係数である３を１より大きい値から10以下の範囲で調整することで、実用で許容できる切り替えポイント変動に抑えることができる。
【００３８】
図３は選択制御部２３の出力によって選択されるベースバンド信号の使用帯域信号を示しており、図中の太い線が使用する帯域として選択された帯域信号である。
【００３９】
図３の(a)はUSBのみに不要波JUSBが含まれている場合の状態図である。不要波JUSBが小さい範囲ではUSBとLSBの要望波信号電力はDSBの1/4、熱雑音は1/2となるから、 (S/N)USBと(S/N)LSBは(S/N)DSBより３dB悪い値となる。不要波JUSBが大きくなるにつれて、(S/N)LSBは一定となるが、(S/N)DSBと(S/N)USBは共に減少する。不要波JUSBが(S/N)LSB>(S/N)DSBとなる範囲ではベースバンド信号の使用する帯域信号をＤＳＢからLSBに切り替える。
【００４０】
図３の(b)はLSBのみに不要波JLSBが含まれている場合の状態図である。不要波JLSBが小さいときは、(S/N)DSBが大きいＤＳＢを使用し、不要波JLSBが(S/N)USB>(S/N)DSBとなる範囲ではベースバンド信号の使用する帯域信号をＤＳＢからUSBに切り替える。
【００４１】
尚、上述のように、(S/N)LSB>(S/N)DSBの条件、(S/N)USB>(S/N)DSB条件のいずれの条件も満たさない場合はＤＳＢ信号を使用する。本発明によるベースバンド信号の使用する帯域信号を選択・制御技法は、従来技法で提示されているような唯単にLSBとＵＳＢからの二者択一でなく、LSBとＵＳＢ及びDSBからの三者択一とすることを特徴とする。
【００４２】
この結果、三者択一の場合は、DSBも選択肢の一つとなるために、二者択一の場合における常時のS/Nの ３dB損失を生じる確率は低減できる。特に、GNSS(Global Navigation Satellite Systems)受信機に適用する場合、S/Nの３dB損失は性能に大きな影響を及ぼす。
【００４３】
（実施の形態２）
図１の構成図はイメージ・リジェクト回路部１０の出力信号で使用する帯域信号を選択し、Ｉ，Ｑの直交信号を得る構成であるが、図４は、イメージ・リジェクト回路部１０出力のＩＵＳＢ及びILSBと、QＵＳＢ及びQLSBとを、夫々、同じ、中間周波数（IF)を生成するIFローカル周波数発生器４７を用いてアップ・コンバージョンするようにしたときの構成である。
【００４４】
この構成は、例えば、GPS測位信号のように、無線通信信号を追尾のために、位相を制御する必要がある有利な構成である。後処理のベースバンド処理部に送出する信号はベースバンド信号より、ＩＦ信号の方が位相制御や移相器処理が行い易くなる。
【００４５】
この構成においては、アップ・コンバージョン部４０において、混合器４３aと４３bの出力を加算し、ＩＦ帯域上側帯域信号RFUSBを生成し、混合器４５aと４５bの出力を加算し、ＩＦ帯域下側帯域信号RFLSBを生成する。RFUSB、RFLSB信号は出力制御部３０に入力され、使用する帯域信号が選定され、A/D変換され、RFbase信号として、後処理のベースバンド処理部（図示なし）に送出される。尚、図ではスイッチ３１aと３１bの出力が結合されているが、RFUSB、RFLSB信号の両方を選択する場合は、３１aと３１bの出力の和とする。
【００４６】
また、RFUSB、RFLSB信号は、使用帯域制御部２０にも入力され、実施の形態１における説明と同様に、使用する帯域信号を選定する制御信号を生成し、出力制御部３０に送出する。
【００４７】
（実施の形態３）
図１の構成図において、イメージ・リジェクト回路部１０及び使用帯域制御部２０、出力制御部３０の処理はデジタル回路またはソフトウェアで処理することも可能である。この場合、無線通信信号をA/D変換器でデジタル信号に変換し、図１に図示した各機能部のデジタル処理またはソフトウェア処理を行なうことで本発明の方法は実施できる。
【００４８】
また、図４の実施例においても同様に、無線通信信号をA/D変換器でデジタル信号に変換し、図４に図示した各機能部のデジタル処理またはソフトウェア処理を行なうことで本発明の方法は実施できる。
【図面の簡単な説明】
【００４９】
【図１】本発明に係る不要波抑圧回路構成の実施形態１の説明図
【図２】本発明に係るベースバンド信号の電力スペクトラムの説明図
【図３】本発明に係る使用するベースバンド信号の使用する帯域信号の説明図
【図４】本発明に係る不要波抑圧回路構成の実施形態２の説明図
【符号の説明】
【００５０】
１           RFローカル周波数発生器
２           ９０°移相器
３a、３b     混合器
４a、４b    ９０°移相器
５a、６a    加算器
５a、６b    減算器
１０         イメージ・リジェクト混合部
２０         使用帯域制御部
２１a、２１b  検波器
２２a、２２b  低域通過フィルタ
２３          選択制御部
３０          出力制御部
３１a、３１b  I成分選択スイッチ
３２a、３２b  Q成分選択スイッチ
３３a、３３b  低域通過フィルタ
３４a、３４b  A/D変換器
４０          アップ・コンバージョン部
４１a、４１b  低域通過フィルタ
４２a、４２b  低域通過フィルタ
４３a、４３b  混合器
４４a、４４b  ９０°移相器
４５a、４５b  混合器
４６a、４６b  加算器
４７            ＩＦローカル周波数発生器
【図１】
2008271311.tif 000006
【図２】
2008271311.tif 000007
【図３】
2008271311.tif 000008
【図４】
2008271311.tif 000009